(57)【特許請求の範囲】
【請求項１】
光源部と、前記光源部からの光を導光すると共に外部に出射する導光板と、を備えた照明器具であって、
前記導光板は、該導光板の一側面を成し前記光源部からの光が入射する入射面と、前記導光板の両主面を成し前記入射面から入射した光が出射する出射主面と、前記入射面に対峙し光が出射する出射端面と、を有し、
前記出射主面の少なくとも一方は、前記導光板の厚みが前記入射面側よりも前記出射端面側の方が薄くなるように形成された段差面を有し、
前記段差面は、前記入射面から前記出射端面に向かう導光方向とは反対で且つ該導光方向に対して傾斜した方向に光を反射し、白塗装が施されることで光不透過性を有することを特徴とする照明器具。
【請求項２】
前記段差面は、前記導光方向に直交する方向に対して傾斜した傾斜面から成ることを特徴とする請求項１に記載の照明器具。
【請求項３】
前記段差面は、前記出射主面に設けられた溝の一部を成していることを特徴とする請求項１又は請求項２に記載の照明器具。
【請求項４】
前記導光板は、厚みが均一な第１の導光板と、前記第１の導光板の主面の一部を覆い前記段差面を有する第２の導光板と、を有することを特徴とする請求項１乃至請求項３のいずれか一項に記載の照明器具。
【発明の詳細な説明】
【技術分野】
【０００１】
本発明は、導光板を備えた照明器具に関する。
【背景技術】
【０００２】
従来から、光源部より出射された光を導光すると共に外部に出射する導光板を備えた照明器具が知られている（例えば、特許文献１参照）。このような導光板は、その一側面に光源部からの光が入射する入射面を有し、この入射面から入射した光を入射面に対峙した出射端面に向かって導光しつつ両主面から外部に出射する。
【先行技術文献】
【特許文献】
【０００３】
【特許文献１】特開２００４−２２８０１８号公報
【発明の概要】
【発明が解決しようとする課題】
【０００４】
しかしながら、上述したような照明器具を導光板が天井に対して直交した状態で天井に設置した場合、導光板から出射して天井に向かう光が少ないので、照明器具周囲の天井が暗くなり、照明空間が狭く感じられて圧迫感を受けることがある。
【０００５】
本発明は、上記課題を解決するものであって、導光板を備えた照明器具において、導光板が天井に対して直交した状態で天井に設置した場合でも、照明器具周囲の天井を明るく照明して圧迫感を与え難くすることができる照明器具を提供することを目的とする。
【課題を解決するための手段】
【０００６】
本発明の照明器具は、光源部と、前記光源部からの光を導光すると共に外部に出射する導光板と、を備え、前記導光板は、該導光板の一側面を成し前記光源部からの光が入射する入射面と、前記導光板の両主面を成し前記入射面から入射した光が出射する出射主面と、前記入射面に対峙し光が出射する出射端面と、を有し、前記出射主面の少なくとも一方は、前記導光板の厚みが前記入射面側よりも前記出射端面側の方が薄くなるように形成された段差面を有し、前記段差面は、前記入射面から前記出射端面に向かう導光方向とは反対で且つ該導光方向に対して傾斜した方向に光を反射し、白塗装が施されることで光不透過性を有することを特徴とする。
【発明の効果】
【０００７】
本発明の照明器具によれば、導光板が天井に対して直交した状態で天井に設置した場合でも、段差面で反射された光が天井に向かうので、照明器具周囲の天井を明るく照明して圧迫感を与え難くすることができる。
【図面の簡単な説明】
【０００８】
【図１】本発明の一実施形態に係る照明器具の側断面図及びその一部拡大図。
【図２】上記実施形態の変形例に係る照明器具の側断面図及びその一部拡大図。
【図３】（ａ）（ｂ）は、別の実施形態に係る照明器具の側断面図。
【図４】（ａ）（ｂ）は、上記実施形態の変形例に係る照明器具の側断面図。
【図５】（ａ）乃至（ｃ）は、他の実施形態に係る照明器具の側断面図。
【図６】更に他の実施形態に係る照明器具の側断面図。
【発明を実施するための形態】
【０００９】
本発明の一実施形態に係る照明器具について図１を参照して説明する。照明器具１は、光源部２と、光源部２からの光Ｌ（破線矢印で示す）を導光すると共に外部に出射する導光板３と、光源部２及び導光板３を保持する筐体４と、を備える。筐体４は、天井Ｃに取り付けられ、導光板３が天井Ｃに対して直交するようにして導光板３を保持している。光源部２は、例えば、光源として白色光を出射する白色ＬＥＤ（不図示）を有する。白色ＬＥＤは、その光軸Ａｘが鉛直方向と一致するようにして配置されている。
【００１０】
導光板３は、透明アクリル板等の透光性材料により構成される。導光板３は、導光板３の一側面を成し光源部２からの光が入射する入射面３１と、導光板３の両主面を成し入射面３１から入射した光が出射する出射主面３２、３３と、入射面３１に対峙して光が出射する出射端面３４と、を有する。導光板３は、入射面３１が光源部２に相対し、且つ出射主面３２、３３が光軸Ａｘと平行となるようにして配置されている。
【００１１】
出射主面３２、３３は、導光板３の厚みＴが入射面３１側よりも出射端面３４側の方が薄くなるように形成された段差面５を有する。段差面５は、出射主面３２、３３において入射面３１に近い箇所に設けられている。段差面５よりも出射端面３４側の出射主面３２、３３は、出射光の配光を制御するための微細なドット構造（不図示）を有する。このようなドット構造は、例えば、マイクロプリズム加工により形成される。段差面５は、入射面３１から出射端面３４に向かう導光方向Ｄに直交する方向Ｖに対して傾斜した傾斜面から成り、図例では、外方に向かうにつれて天井Ｃ側（上側）に傾斜した傾斜面から成る。段差面５と導光方向Ｄとが成す鋭角θは、５０°〜７０°、好ましくは６０°に設定される。
【００１２】
このように鋭角θを設定することで、段差面５が、光Ｌを導光方向Ｄとは反対で且つ導光方向Ｄに対して傾斜した方向に効率良く反射する。これにより、光Ｌが天井Ｃに向かうので、照明器具１周囲の天井Ｃを明るく照明して照明空間を広く感じさせ、圧迫感を与え難くすることができる。また、導光板３の内部を導光される光Ｌの一部が段差面５で反射されることで、出射端面３４に到達する光Ｌが少なくなって出射端面３４の輝度が過度に高くなるのを防止することができる。これにより、照明器具１の見栄えを良くすることができる。
【００１３】
次に、上記実施形態の変形例に係る照明器具について図２を参照して説明する。照明器具１１は、外方に向かうにつれて床面側（下側）に傾斜した傾斜面から成る段差面５ａを有する。段差面５ａと導光方向Ｄとが成す鋭角θは、上述した照明器具１の場合と同様に５０°〜７０°、好ましくは６０°に設定される。このように構成された照明器具１１によっても光Ｌを段差面５ａで天井Ｃに向かって効率良く反射して、上述した照明器具１と同様の効果を得ることができる。
【００１４】
次に、別の実施形態に係る照明器具について図３（ａ）（ｂ）を参照して説明する。図３（ａ）に示すように、照明器具１２では、段差面５が出射主面３２、３３に設けられた溝６の一部を成し、導光板３は、入射面３１側と出射端面３４側とで同じ厚みＴを有する。このような溝６は、例えば、断面視Ｖ字状に形成され、上述した照明器具１、１１のように段差面５を介して導光板３の厚みＴを変化させる場合に比べて、より容易な加工で設けることができる。そのため、照明器具１２によれば、照明器具１、１１と同様の効果を与えながらも、より容易に導光板３を作製することができる。また、図３（ｂ）に示すように、照明器具１３では、段差面５ａが溝６の一部を成している。このような照明器具１３によっても、上述した照明器具１２と同様の効果を得ることができる。
【００１５】
次に、上記実施形態の変形例に係る照明器具について図４（ａ）（ｂ）を参照して説明する。図４（ａ）に示すように、照明器具１４は、上述した照明器具１２を基に、例えば、段差面５に白塗装７を施すことで段差面５を光不透過性に構成したものである。このようにすることで、確実に段差面５において光を天井Ｃに向かって反射することができる。
【００１６】
また、図４（ｂ）に示すように、照明器具１５は、上述した照明器具１２を基に、段差面５を光拡散性に構成したものである。このような光拡散性の付与は、例えば、段差面５への微細な凹凸構造８の付与や段差面５への光拡散シートの貼着により成される。このようにすることで、段差面５で光を拡散反射し、段差面５で起こる配光変化によって段差面５が目立つのを防止することができる。
【００１７】
次に、他の実施形態に係る照明器具について図５（ａ）乃至（ｃ）を参照して説明する。図５（ａ）に示すように、照明器具１６では、導光板３が、第１の導光板３５及び第２の導光板３６から成る。第１の導光板３５は、厚みが均一な平板状に形成され、その一側面３５ａが光源部２と相対し、且つその両主面３５ｂ、３５ｃが光軸Ａｘと平行となるようにして配置されている。第２の導光板３６は、第１の導光板３５の主面３５ｂ、３５ｃの一部及び側面３５ａを覆って断面視略Ｃ字状に形成され、その光源部２から遠い側の端部に段差面５を有する。第１の導光板３５及び第２の導光板３６は、例えば、互いに同じ透光性材料又は互いに同程度の屈折率を持つ透光性材料により構成され、光透過性の接着剤により互いに接合されている。
【００１８】
このような照明器具１６によれば、上述した照明器具１と同様の効果を得ることができると共に、単純な平板状に形成された第１の導光板３５と段差面５を有する第２の導光板３６とを組み合わせることで導光板３を形成することができる。これにより、例えば、平板を切削加工することで導光板３を形成する場合に比べて、より容易に導光板３を形成することができる。また、図５（ｂ）に示すように、照明器具１７では、第２の導光板３６の光源部２から遠い側の端部が段差面５ａを成している。このような照明器具１７によっても、上述した照明器具１６と同様の効果を得ることができる。
【００１９】
更に、図５（ｃ）に示すように、照明器具１８では、第２の導光板３６が、厚みが均一な平板状に形成された第２の導光板３６ａ、３６ｂにより構成されている。第２の導光板３６ａ、３６ｂは、光源部２から遠い側の端部に段差面５ａを有し、第１の導光板３５の主面３５ｂ、３５ｃの一部を覆っている。このような照明器具１８によれば、第１の導光板３５及び第２の導光板３６の両方が単純な平板状に形成されているので、上述した照明器具１６、１７に比べて更に容易に導光板３を形成することができる。
【００２０】
次に、更に他の実施形態に係る照明器具について図６を参照して説明する。照明器具１９は、上述した照明器具１２を基に、段差面５で反射された光Ｌを床面方向に反射する反射板９を更に設けたものである。反射板９は、光反射性の高い材料、例えば、アルミニウムにより構成され、段差面５を覆うようにして導光板３と筐体４との間の空間に保持されている。このような反射板９を設けることで、床面方向に向かう光が増えるので、導光板３の出射端面３４の高輝度発光が目立たなくなって自然な照射光を得ることができる。
【００２１】
なお、本発明に係る照明器具は、上記実施形態及びその変形例に限定されず種々の変形が可能である。例えば、段差面は、必ずしも出射主面の両方に設けられる必要はなく、出射主面の少なくとも一方に設けられていればよい。また、段差面は、一つの出射主面に複数設けられていてもよい。更に、上述した照明器具１２以外の照明器具において、段差面を光不透過性又は光拡散性に構成してもよい。
【符号の説明】
【００２２】
１、１１、１２、１３、１４、１５、１６、１７、１８、１９  照明器具
２  光源部
３  導光板
３１  入射面
３２、３３  出射主面
３４  出射端面
３５  第１の導光板
３６、３６ａ、３６ｂ  第２の導光板
５、５ａ  段差面
６  溝
Ｄ  導光方向
Ｖ  導光方向に直交する方向
Ｔ  導光板の厚み
【図１】
0006590275.tif 000002
【図２】
0006590275.tif 000003
【図３】
0006590275.tif 000004
【図４】
0006590275.tif 000005
【図５】
0006590275.tif 000006
【図６】
0006590275.tif 000007